(57)【特許請求の範囲】
【請求項１】
利用者が身に着けた際に前記利用者の身体を介して他の機器と通信可能となる人体通信用の通信装置であって、
基準となる電位を与える基準電極と、
少なくとも一軸方向両端には開口が形成され、その両端間にある部分は前記基準電極の周りを取り囲む形態となっている信号電極と、
「前記信号電極の電位を前記基準電極の電位に対して相対的に変動させることで、前記基準電極と前記信号電極との電位差に応じた信号を前記他の機器に対して送信する制御」及び「前記他の機器から信号が送信された際に前記基準電極と前記信号電極との間に生じる電位差を検出することで、検出した電位差に応じた信号を前記他の機器から受信する制御」のうち、少なくとも一方の制御を実行可能な通信制御手段と
を備えることを特徴とする人体通信用の通信装置。
【請求項２】
前記基準電極及び前記信号電極は、前記一軸方向の寸法が前記一軸方向に直交する方向の寸法よりも長い形状になっている
ことを特徴とする請求項１に記載の人体通信用の通信装置。
【請求項３】
前記基準電極又は前記信号電極は、一端の開口から連続して他端の開口に達する開裂箇所が全周にわたって存在しない構造になっている
ことを特徴とする請求項１又は請求項２に記載の人体通信用の通信装置。
【請求項４】
前記基準電極又は前記信号電極は、一端の開口から連続して他端の開口に達する開裂箇所を有する構造になっている
ことを特徴とする請求項１又は請求項２に記載の人体通信用の通信装置。
【請求項５】
前記基準電極又は前記信号電極は、前記一軸方向に交差する方向へ貫通する貫通孔が全周にわたって存在しない構造になっている
ことを特徴とする請求項１〜請求項４のいずれか一項に記載の人体通信用の通信装置。
【請求項６】
前記基準電極又は前記信号電極は、前記一軸方向に交差する方向へ貫通する複数の貫通孔を有する構造になっている
ことを特徴とする請求項１〜請求項４のいずれか一項に記載の人体通信用の通信装置。
【請求項７】
前記基準電極又は前記信号電極は、円筒状に形成されている
ことを特徴とする請求項１〜請求項６のいずれか一項に記載の人体通信用の通信装置。
【請求項８】
前記基準電極又は前記信号電極は、前記一軸方向に垂直な断面に多角形状の断面が表れる多角筒状に形成されている
ことを特徴とする請求項１〜請求項６のいずれか一項に記載の人体通信用の通信装置。
【請求項９】
前記基準電極又は前記信号電極は、両端にある開口の形状及び面積が同一になっている
ことを特徴とする請求項１〜請求項８のいずれか一項に記載の人体通信用の通信装置。
【請求項１０】
前記基準電極又は前記信号電極は、両端にある開口の形状又は面積が異なっている
ことを特徴とする請求項１〜請求項８のいずれか一項に記載の人体通信用の通信装置。
【請求項１１】
前記基準電極と前記信号電極は、前記一軸方向について、両端の位置が同一位置にある
ことを特徴とする請求項１〜請求項１０のいずれか一項に記載の人体通信用の通信装置。
【請求項１２】
前記基準電極と前記信号電極は、前記信号電極の両端の位置が、前記一軸方向について、前記基準電極の両端間となる位置にある
ことを特徴とする請求項１〜請求項１０のいずれか一項に記載の人体通信用の通信装置。
【発明の詳細な説明】
【技術分野】
【０００１】
本発明は、人体を信号の伝送路として利用して通信を行う人体通信用の通信装置に関する。
【背景技術】
【０００２】
従来、人体通信用の通信装置としては、下記特許文献１に記載のものが知られている。この特許文献１に記載の通信装置は、一対の基準電極及び信号電極を有し、これら基準電極と信号電極に電位差を発生させることで、他の通信装置へ信号を送信したり、基準電極と信号電極に生じた電位差を検出して、他の通信装置から信号を受信したりする仕組みになっている。
【先行技術文献】
【特許文献】
【０００３】
【特許文献１】特開２００６−３２４７７５号公報
【発明の概要】
【発明が解決しようとする課題】
【０００４】
ところで、上記特許文献１には、上記信号電極については、上記基準電極よりも人体に対して静電結合が強くなるように配置される旨が記載されている。
しかし、この種の人体通信用の通信装置を利用する際、利用者が意識的に基準電極と信号電極の位置を最適化するとは限らない。例えば、利用者によっては、通信装置を自分の衣服のポケットに無造作に入れてしまうことがあり、この場合、通信装置がどのような向きになるのかは不定となる。
【０００５】
そのため、このような状況下では、基準電極よりも人体に対して静電結合が強くなるような位置に信号電極が配置されないこともあり、その場合、通信性能が標準的なレベルよりも低下してしまうことがあった。また、通信装置の向きが変わると通信性能が変化するため、通信装置の通信性能が良いときもあれば悪いときもあるなど、通信性能が不安定になってしまう、という問題があった。
【０００６】
本発明は、上記問題を解決するためになされたものであり、その目的は、２つの電極と人体との位置関係を従来品よりも容易に最適化可能な人体通信用の通信装置を提供することにある。
【課題を解決するための手段】
【０００７】
以下、本発明において採用した構成について説明する。
本発明の人体通信用の通信装置は、信号電極の電位を基準電極の電位に対して相対的に変動させることで、基準電極と信号電極との電位差に応じた信号を他の機器に対して送信すること、及び他の機器から信号が送信された際に基準電極と信号電極との間に生じる電位差を検出することで、検出した電位差に応じた信号を他の機器から受信すること、これらのうち、少なくとも一方を実行することができる。
【０００８】
また、この通信装置において、信号電極は、少なくとも一軸方向両端に開口が形成され、その両端間にある部分が基準電極の周りを取り囲む形態となっている。そのため、通信装置を利用者が身に着ける際に、その装着方向を全く意識しなくても、基準電極と利用者の身体との間に信号電極が配置される。
【０００９】
したがって、例えば、仮に利用者が通信装置を無造作にポケットに入れたとしても、信号電極は人体に対する静電結合が基準電極よりも強くなる位置に配置されることになる。よって、この種の基準電極及び信号電極として、一対の平板状電極を備えるものなどとは異なり、装着方向を誤ると基準電極と信号電極の位置関係が逆転してしまう、といった問題はなく、通信装置の通信性能を常に良好な状態で維持することができる。
【００１０】
なお、本発明の通信装置において、基準電極及び信号電極は、一軸方向の寸法が一軸方向に直交する方向の寸法よりも長い形状になっていると好ましい。これは、同じ表面積であれば、一軸方向の寸法が一軸方向に直交する方向の寸法よりも長い形状になっている方が、通信性能を犠牲にすることなく、通信装置の形状をスリムで携帯しやすいものとすることができるからである。
【００１１】
また、本発明の通信装置において、基準電極又は信号電極は、一端の開口から連続して他端の開口に達する開裂箇所が全周にわたって存在しない構造になっていても良いし、一端の開口から連続して他端の開口に達する開裂箇所を有する構造になっていても良い。
【００１２】
開裂箇所が全周にわたって存在しない構造になっている場合は、そのような開裂箇所が存在するものとは異なり、全周にわたって基準電極又は信号電極が均等に存在することになるので、通信装置の向きを変えても通信特性はほとんど変化せず、安定で均一な通信性能を確保することができる。
【００１３】
一方、上記のような開裂箇所を有する構造になっている場合は、薄板状の材料を筒状に加工することによって所期の電極を得ることができるので、開裂箇所のない筒状の電極に比べ、容易に製造可能となり、その分だけコストダウンを図ることができる。
【００１４】
したがって、上記のような開裂箇所が存在しない構造及び存在する構造、双方ともそれぞれに利点があるので、いずれの利点を重要視するかに応じて、任意にいずれかの構造を選定すれば良い。
【００１５】
また、本発明の通信装置において、基準電極又は信号電極は、一軸方向に交差する方向へ貫通する貫通孔が全周にわたって存在しない構造になっていても良いし、一軸方向に交差する方向へ貫通する複数の貫通孔を有する構造になっていても良い。
【００１６】
上記のような貫通孔が全周にわたって存在しない構造になっている場合は、貫通孔が存在する場合に比べ、電極として機能する面積を大きくすることができ、通信性能の向上を図ることができる。
【００１７】
一方、上記のような貫通孔を有する構造になっている場合は、同寸法の電極を形成する場合でも、貫通孔のない構造に比べ、材料の使用量が削減されるので、コストダウンを図ることができ、また、電極の軽量化を図ることもできる。なお、このような貫通孔を有する構造の電極は、例えば、網状の材料、あるいは、エキスパンドメタルやパンチングメタルのような材料を筒状に加工することによって得ることができる。
【００１８】
また、本発明の通信装置において、基準電極又は信号電極は、円筒状に形成されていると良い。このような形態になっていれば、全周にわたって回転対称な形状となるので、通信装置の向きを変えても通信特性はほとんど変化せず、安定で均一な通信性能を確保することができる。
【００１９】
あるいは、本発明の通信装置において、基準電極又は信号電極は、一軸方向に垂直な断面に多角形状の断面が表れる多角筒状に形成されていても良い。このような形態になっていれば、円筒状のものよりも転がりにくくすることができるなど、円筒状のものとは異なる視点で付加価値を付けることができる。なお、多角筒としては、三角筒以上のＮ角筒を任意に利用できるが、角の数は多いほど円筒状に近づくので、円筒状に近い性能を得るためには、角の数が多いほど好ましい。
【００２０】
また、本発明の通信装置において、基準電極又は信号電極は、両端にある開口の形状及び面積が同一になっていると良い。このような形態のものであれば、電極の外形が柱状になるので、柱状の形態となっている部分に組み込むのに便利な電極となる。
【００２１】
あるいは、本発明の通信装置において、前記基準電極又は前記信号電極は、両端にある開口の形状又は面積が異なっていても良い。このような形態のものであれば、電極の外形が錐台状やその他異形のものとなるので、そのような特殊な形態となっている部分に組み込むのに便利な電極となる。
【００２２】
また、本発明の通信装置において、基準電極と信号電極は、一軸方向について、両端の位置が同一位置にあっても良いし、信号電極の両端の位置が、一軸方向について、基準電極の両端間となる位置にあっても良い。
【００２３】
このような構造にすれば、基準電極の両端の位置が、一軸方向について、信号電極の両端間となる位置にある場合に比べ、より一層通信性能の改善を図ることができる。
【図面の簡単な説明】
【００２４】
【図１】第１実施形態として例示した人体通信用の通信装置を示す図であり、（ａ）はペン形通信装置の構造を示す説明図、（ｂ）は基準電極及び信号電極のＡ−Ａ線断面図、（ｃ）は基準電極及び信号電極のＢ−Ｂ線断面図、（ｄ）はペン形通信装置の使用状態を示す説明図。
【図２】基準電極及び信号電極を例示する図であり、（ａ）は第２実施形態として例示した基準電極及び信号電極の縦断面図、（ｂ）は第３実施形態として例示した基準電極及び信号電極の縦断面図、（ｃ）は第４実施形態として例示した基準電極及び信号電極の縦断面図、（ｄ）は第５実施形態として例示した基準電極及び信号電極の縦断面図、（ｅ）は第６実施形態として例示した基準電極及び信号電極の縦断面図、（ｆ）は第７実施形態として例示した基準電極及び信号電極の縦断面図。
【図３】基準電極及び信号電極を例示する図であり、（ａ）は第８実施形態として例示した基準電極及び信号電極の横断面図、（ｂ）は第９実施形態として例示した基準電極及び信号電極の横断面図、（ｃ）は第１０実施形態として例示した基準電極及び信号電極の横断面図、（ｄ）は第１１実施形態として例示した基準電極及び信号電極の横断面図、（ｅ）は第１２実施形態として例示した基準電極及び信号電極の横断面図。
【図４】基準電極及び信号電極を例示する図であり、（ａ）は第１３実施形態として例示した基準電極及び信号電極の正面図、（ｂ）は第１４実施形態として例示した基準電極及び信号電極の正面図、（ｃ）は第１５実施形態として例示した基準電極及び信号電極の正面図、（ｄ）は第１６実施形態として例示した基準電極及び信号電極の正面図。
【図５】基準電極及び信号電極を例示する図であり、（ａ）は第１７実施形態として例示した基準電極及び信号電極の正面図、（ｂ）は第１７実施形態として例示した基準電極及び信号電極の縦断面図、（ｃ）は第１８実施形態として例示した基準電極及び信号電極の縦断面図、（ｄ）は第１９実施形態として例示した基準電極及び信号電極の縦断面図。
【図６】基準電極及び信号電極を例示する図であり、（ａ）は第２０実施形態として例示した基準電極及び信号電極（ただし、信号電極の一部を破断。）の正面図、（ｂ）は第２１実施形態として例示した基準電極及び信号電極（ただし、信号電極の一部を破断。）の正面図、（ｃ）は第２２実施形態として例示した基準電極及び信号電極（ただし、信号電極の一部を破断。）の正面図。
【図７】基準電極及び信号電極を例示する図であり、（ａ）は第２３実施形態として例示した基準電極及び信号電極の横断面図、（ｂ）は第２４実施形態として例示した基準電極及び信号電極の横断面図、（ｃ）は第２５実施形態として例示した基準電極及び信号電極の横断面図。
【発明を実施するための形態】
【００２５】
次に、本発明の実施形態について、いくつかの具体的な例を挙げて説明する。
［第１実施形態］
第１実施形態の人体通信用の通信装置１は、他の機器と人体を介して通信可能で、且つボールペンとしての機能をも備えたものであり、図１（ａ）〜同図（ｃ）に示すように、ペン形の外装部３と、一軸方向両端に開口が形成された円筒状の基準電極５と、一軸方向両端に開口が形成された円筒状の部材で、その両端間にある部分は基準電極５の周りを取り囲む形態となっている信号電極７と、これら基準電極５と信号電極７との間の電位差を利用して信号の送受信を制御する制御部９（本発明でいう通信制御手段の一例に相当。）とを備えている。
【００２６】
これらのうち、基準電極５は、制御部９による信号の送受信を行う際、制御部９に対し基準となる電位を与える電極である。また、信号電極７は、信号を送信する際に、その信号に対応する電圧が制御部９によって印加される電極であり、このような電圧印加によって基準電極５に対する信号電極７の電位を相対的に変動させることで、人体を介して他の機器へ信号を送信することができる。また、信号電極７は、信号を受信する際にも利用される電極であり、他の機器から人体を介して信号が送信されてきた場合は、基準電極５と信号電極７の電位差が、送信されてきた信号に応じて変動するので、その電位差の変動を制御部９が検知し、電位差の変動に応じた信号を受信する。
【００２７】
制御部９は、信号発生回路や信号検出回路などを備え、信号電極７に対して電圧を印加して、他の機器へ信号を送信する制御や、基準電極５と信号電極７の電位差を検出して、他の機器からの信号を受信する制御を実行可能なものである。
【００２８】
以上のように構成された通信装置１は、例えば、図１（ｄ）に示すように、利用者が着用する衣類１１のポケット１３などに入れられることで、利用者が通信装置１を身に着けた状態となる。
【００２９】
その際、基準電極５及び信号電極７は、二重の円筒状になっているため、常に信号電極７の一部が基準電極５よりも身体１５に近い位置に配置され、その結果、信号電極７は、基準電極５よりも身体１５に対して静電結合が強くなる位置に配置されることになる。
【００３０】
したがって、上記のような通信装置１を利用すれば、例えば、仮に利用者が通信装置１を無造作にポケット１３に入れたとしても、一対の平板状電極を備えるものなどとは異なり、基準電極５と信号電極７の位置関係が逆転してしまう、といった問題はなく、通信装置１の通信性能を常に良好な状態で維持することができる。
【００３１】
また、上記通信装置１において、基準電極５及び信号電極７は、一軸方向（図１（ｃ）において縦方向）の寸法が一軸方向に直交する方向（図１（ｃ）において横方向）の寸法よりも長い形状になっている。そのため、一軸方向に直交する方向の寸法を過大にすることなく、各電極の表面積を十分に確保することができ、これにより、通信性能を犠牲にすることなく、通信装置１の形状をスリムで携帯しやすいものとすることができる。
【００３２】
また、上記のような円筒状の電極を製造する際に、単に金属板を円筒状に丸めるだけでは、その円筒の一端の開口から連続して他端の開口に達する開裂箇所ができてしまうが、上記の基準電極５及び信号電極７の場合は、そのような開裂箇所が全周にわたって存在しない構造になっている。しかも、基準電極５及び信号電極７は、円筒状に形成されていて、全周にわたって回転対称な形状となっている。したがって、開裂箇所が存在する電極や円筒形以外の電極などとは異なり、通信装置１の向きを軸回りに回転させて変更しても通信特性はほとんど変化せず、安定で均一な通信性能を確保することができる。
【００３３】
また、上記通信装置１において、基準電極５及び信号電極７は、一軸方向に交差する方向へ貫通する貫通孔が全周にわたって存在しない構造になっているので、貫通孔が存在する場合に比べ、電極として機能する面積を大きくすることができ、通信性能の向上を図ることができる。
【００３４】
また、上記通信装置１において、基準電極５及び信号電極７は、それぞれの両端にある開口の形状及び面積が同一になっているので、電極の外形が柱状になり、ペン形の外装部３のような柱状の形態となっている部分に組み込むのに便利な電極となる。
【００３５】
さらに、上記通信装置１において、基準電極５と信号電極７は、一軸方向について、両端の位置が同一位置にあるので、基準電極５の軸方向寸法を過大にすることなく、十分な通信性能を確保できる。
【００３６】
［第２実施形態］
次に、第２実施形態について説明する。ただし、以降の実施形態は、電極の形態に特徴があり、その他の部分は第１実施形態と同様なので、特徴部について詳述することにする。
【００３７】
図２（ａ）に示すように、第２実施形態において、基準電極２１及び信号電極２２は、両端の開口面積が異なっており、そのため、各電極の外形は円錐台状になっている。このような形態の基準電極２１及び信号電極２２であっても、通信性能の面では、第１実施形態と同様の効果が得られる。
【００３８】
また、一端が他端よりも細くなっているような部分に組み込む際には、第１実施形態として例示したものより、基準電極２１及び信号電極２２の方が便利である。
［第３実施形態］
次に、第３実施形態について説明する。図２（ｂ）に示すように、第３実施形態において、基準電極２３は、第１実施形態と同様のものであり、信号電極２４は、両端の開口面積が異なっている。このような形態の基準電極２３及び信号電極２４であっても、通信性能の面では、第１実施形態と同様の効果が得られる。
【００３９】
［第４実施形態］
次に、第４実施形態について説明する。図２（ｃ）に示すように、第４実施形態において、基準電極２５は、信号電極２６よりも軸方向寸法が短く、その両端が信号電極２６の両端間に存在している。このような形態の基準電極２５及び信号電極２６であっても、通信性能の面では、第１実施形態と同様の効果が得られる。
【００４０】
［第５実施形態］
次に、第５実施形態について説明する。図２（ｄ）に示すように、第５実施形態において、基準電極２７は、信号電極２８よりも軸方向寸法が長く、基準電極２７の両端が信号電極２８の外側へ突出している。このような形態の基準電極２７及び信号電極２８であっても、第１実施形態と同様の効果が得られるが、特に基準電極２７が長い方が、通信性能は安定する傾向にあるので、このような構造とすることで、通信性能の改善を図ることができる。
【００４１】
［第６実施形態］
次に、第６実施形態について説明する。図２（ｅ）に示すように、第６実施形態において、基準電極３１は、信号電極３２よりも軸方向寸法が短く、この点は第４実施形態と同様であるが、基準電極３１の一端が信号電極３２の両端間に存在し、基準電極３１の他端は信号電極３２の端部と軸方向位置が同一位置になっている。このような形態の基準電極３１及び信号電極３２であっても、通信性能の面では、第１実施形態と同様の効果が得られる。
【００４２】
［第７実施形態］
次に、第７実施形態について説明する。図２（ｆ）に示すように、第７実施形態において、基準電極３３は、信号電極３４よりも軸方向寸法が長く、この点は第５実施形態と同様であるが、基準電極３３の一端が信号電極３４の外側へ突出し、基準電極３３の他端は信号電極３４の端部と軸方向位置が同一位置になっている。このような形態の基準電極３３及び信号電極３４であっても、通信性能の面では、第１実施形態と同様の効果が得られる。
【００４３】
［第８実施形態］
次に、第８実施形態について説明する。図３（ａ）に示すように、第８実施形態において、基準電極３５及び信号電極３６は、円筒状で、その円筒の一端の開口から連続して他端の開口に達する開裂箇所を有する形態となっている。
【００４４】
このような形態の基準電極３５及び信号電極３６であっても、通信性能の面では、第１実施形態と同様の効果が得られる。しかも、このような形態の基準電極３５及び信号電極３６であれば、金属板を円筒状に丸めることによって各電極を形成できるので、開裂箇所のない筒状の電極に比べ、容易に製造可能となり、その分だけコストダウンを図ることができる。
【００４５】
［第９実施形態］
次に、第９実施形態について説明する。図３（ｂ）に示すように、第９実施形態において、基準電極３７は、開裂箇所のない円筒体、信号電極３８は、開裂箇所のある円筒体となっている。
【００４６】
このような形態の基準電極３７及び信号電極３８であっても、通信性能の面では、第１実施形態と同様の効果が得られる。
［第１０実施形態］
次に、第１０実施形態について説明する。図３（ｃ）に示すように、第１０実施形態において、基準電極４１は、開裂箇所のある円筒体、信号電極４２は、開裂箇所のない円筒体となっている。
【００４７】
このような形態の基準電極４１及び信号電極４２であっても、通信性能の面では、第１実施形態と同様の効果が得られる。
［第１１実施形態］
次に、第１１実施形態について説明する。図３（ｄ）に示すように、第１１実施形態において、基準電極４３及び信号電極４４は、円筒状で、開裂箇所のある形態となっている。ただし、第８実施形態とは異なり、基準電極４３と信号電極４４とでは、開裂箇所の位置が周方向にずれた位置にある。
【００４８】
このような形態の基準電極４３及び信号電極４４であっても、通信性能の面では、第１実施形態と同様の効果が得られる。
［第１２実施形態］
次に、第１２実施形態について説明する。図３（ｅ）に示すように、第１２実施形態において、基準電極４５及び信号電極４６は、円筒状で、開裂箇所のある形態となっている。ただし、第８実施形態とは異なり、信号電極４４については、開裂箇所の両側を重ね合わせることで、開裂箇所に隙間ができていない構造としてある。
【００４９】
このような形態の基準電極４５及び信号電極４６であっても、通信性能の面では、第１実施形態と同様の効果が得られる。また、開裂箇所があるので、金属板を円筒状に丸めることによって信号電極４６を形成できる上に、開裂箇所に隙間がないので、開裂箇所のない円筒体と同様の性能を確保できる。
【００５０】
なお、第１２実施形態では、信号電極４６について開裂箇所の両側を重ね合わせた構造を採用したが、基準電極について同様の構造を採用しても良い。
［第１３実施形態］
次に、第１３実施形態について説明する。図４（ａ）に示すように、第１３実施形態において、基準電極４７及び信号電極４８は、円筒状に形成されている点で、第１実施形態と同様であるが、信号電極４８の一端に切欠き部４８Ａが形成されている。
【００５１】
このような形態の基準電極４７及び信号電極４８であっても、通信性能の面では、第１実施形態と同様の効果が得られる。また、切欠き部４８Ａを介して配線を行ったり、通信装置内にある何らかの突部を切欠き部４８Ａ内へ逃がしたりすることができる。
【００５２】
［第１４実施形態］
次に、第１４実施形態について説明する。図４（ｂ）に示すように、第１４実施形態において、基準電極５１及び信号電極５２は、円筒状に形成されている点で、第１実施形態と同様であるが、信号電極５２の両端間となる位置に開口部５２Ａが形成されている。
【００５３】
このような形態の基準電極５１及び信号電極５２であっても、通信性能の面では、第１実施形態と同様の効果が得られる。また、開口部５２Ａを介して配線を行ったり、通信装置内にある何らかの突部を開口部５２Ａ内へ逃がしたりすることができる。
【００５４】
［第１５実施形態］
次に、第１５実施形態について説明する。図４（ｃ）に示すように、第１５実施形態において、基準電極５３及び信号電極５４は、円筒状に形成されている点で、第１実施形態と同様であるが、基準電極５３の一端に切欠き部５３Ａが形成されている。
【００５５】
このような形態の基準電極５３及び信号電極５４であっても、通信性能の面では、第１実施形態と同様の効果が得られる。また、切欠き部５３Ａを介して配線を行ったり、基準電極５３の内側又は外側にある何らかの突部を切欠き部５３Ａ内へ逃がしたりすることができる。
【００５６】
なお、第１３実施形態においては、信号電極４８の一端に切欠き部４８Ａが形成されている例を示し、第１５実施形態においては、基準電極５３の一端に切欠き部５３Ａが形成されている例を示したが、基準電極及び信号電極の双方に切欠き部が形成されていてもよい。また、これら基準電極又は信号電極に形成される切欠き部の位置や形状は任意である。
【００５７】
［第１６実施形態］
次に、第１６実施形態について説明する。図４（ｄ）に示すように、第１６実施形態において、基準電極５５及び信号電極５６は、円筒状に形成されている点で、第１実施形態と同様であるが、基準電極５５の両端間となる位置に開口部５５Ａが形成されている。
【００５８】
このような形態の基準電極５５及び信号電極５６であっても、通信性能の面では、第１実施形態と同様の効果が得られる。また、開口部５５Ａを介して配線を行ったり、基準電極５５の内側又は外側にある何らかの突部を開口部５５Ａ内へ逃がしたりすることができる。
【００５９】
なお、第１４実施形態においては、信号電極５２に開口部５２Ａが形成されている例を示し、第１６実施形態においては、基準電極５５に開口部５５Ａが形成されている例を示したが、基準電極及び信号電極の双方に開口部が形成されていてもよい。また、これら基準電極又は信号電極に形成される開口部の位置や形状は任意である。さらに、第１３実施形態〜第１６実施形態において例示した切欠き部や開口部は、切欠き部と開口部を組み合わせて採用しても良い。
【００６０】
［第１７実施形態］
次に、第１７実施形態について説明する。図５（ａ）及び同図（ｂ）に示すように、第１７実施形態において、基準電極５７及び信号電極５８は、外周に凹凸のある段付形状とされている。詳しくは、第１７実施形態において、凹凸部分の形状は、縦断面図において各凸部の断面形状が四角形となり、凸部間にある凹部の断面形状も四角形となる形状となっている。
【００６１】
このような形態の基準電極５７及び信号電極５８であっても、通信性能の面では、第１実施形態と同様の効果が得られる。また、このような凹凸を形成することで、利用者の汗などを凹部へ逃がすことができる。
【００６２】
［第１８実施形態］
次に、第１８実施形態について説明する。図５（ｃ）に示すように、第１８実施形態において、基準電極６１及び信号電極６２は、第１７実施形態同様、外周に凹凸のある形状とされている。ただし、第１８実施形態においては、凹凸部分の形状が、第１７実施形態とは異なり、縦断面図において各凸部の断面形状が半円形となっている。
【００６３】
このような形態の基準電極５７及び信号電極５８であっても、通信性能の面では、第１実施形態と同様の効果が得られる。また、このような凹凸を形成することで、利用者の汗などを凹部へ逃がすことができる。
【００６４】
［第１９実施形態］
次に、第１９実施形態について説明する。図５（ｄ）に示すように、第１９実施形態において、基準電極６１及び信号電極６２は、第１７実施形態，第１８実施形態同様、外周に凹凸のある形状とされている。ただし、第１９実施形態においては、凹凸部分の形状が、第１７実施形態，第１８実施形態とは異なり、縦断面図において各凸部の断面形状が山型（三角形，三角歯状）となっている。
【００６５】
このような形態の基準電極５７及び信号電極５８であっても、通信性能の面では、第１実施形態と同様の効果が得られる。また、このような凹凸を形成することで、利用者の汗などを凹部へ逃がすことができる。
【００６６】
なお、第１７実施形態〜第１９実施形態において、具体的な凹凸の形状をいくつか例示したが、これら以外の形状で凹凸を形成しても良い。また、基準電極又は信号電極のいずれか一方だけに凹凸を付けても良い。
【００６７】
［第２０実施形態］
次に、第２０実施形態について説明する。図６（ａ）に示すように、第２０実施形態において、基準電極６５及び信号電極６６は、円筒状に形成されている点で、第１実施形態と同様であるが、信号電極６６が網状の材料で形成されている。
【００６８】
このような形態の基準電極６５及び信号電極６６であっても、通信性能の面では、第１実施形態と同様の効果が得られる。また、信号電極６６を網状の材料で形成したので、同寸法の電極を形成する場合でも、一軸方向に交差する方向へ貫通する複数の貫通孔を有する分だけ、材料の使用量が削減されるので、コストダウンを図ることができ、また、電極の軽量化を図ることもできる。なお、このような網状の材料の他、エキスパンドメタルやパンチングメタルのような材料を筒状に加工しても、同様の効果を期待することができる。
【００６９】
［第２１実施形態］
次に、第２１実施形態について説明する。図６（ｂ）に示すように、第２１実施形態においては、基準電極６７及び信号電極６８は、円筒状に形成されている点で、第１実施形態と同様であるが、基準電極６７が網状の材料で形成されている。
【００７０】
このような形態の基準電極６７及び信号電極６８であっても、通信性能の面では、第１実施形態と同様の効果が得られる。また、基準電極６７を網状の材料で形成したので、第２０実施形態の場合同様、材料の使用量が削減される分だけ、コストダウンを図ることができ、また、電極の軽量化を図ることもできる。
【００７１】
［第２２実施形態］
次に、第２２実施形態について説明する。図６（ｃ）に示すように、第２２実施形態においては、基準電極７１及び信号電極７２は、円筒状に形成されている点で、第１実施形態と同様であるが、基準電極７１及び信号電極７２の双方が網状の材料で形成されている。
【００７２】
このような形態の基準電極７１及び信号電極７２であっても、通信性能の面では、第１実施形態と同様の効果が得られる。また、基準電極７１及び信号電極７２を網状の材料で形成したので、第２０実施形態，第２１実施形態の場合以上に、材料の使用量が削減され、その分だけコストダウンを図ることができ、また、電極の軽量化を図ることもできる。
【００７３】
［第２３実施形態］
次に、第２３実施形態について説明する。図７（ａ）に示すように、第２３実施形態において、基準電極７３及び信号電極７４は、軸方向に垂直な断面に六角形が表れる六角筒状に形成されている。このような形態の基準電極７３及び信号電極７４であっても、通信性能の面では、第１実施形態と同様の効果が得られる。
【００７４】
［第２４実施形態］
次に、第２４実施形態について説明する。図７（ｂ）に示すように、第２４実施形態において、基準電極７５及び信号電極７６は、軸方向に垂直な断面に八角形が表れる八角筒状に形成されている。このような形態の基準電極７５及び信号電極７６であっても、通信性能の面では、第１実施形態と同様の効果が得られる。
【００７５】
すなわち、第２３実施形態，第２４実施形態で例示したとおり、基準電極及び信号電極は、円筒状に限らず、角筒状でも良い。なお、そのような角筒状のものを採用するに当たっては、上記六角筒、八角筒に限定されず、断面形状が多角形状となる多角筒状のものを任意に採用することができる。
【００７６】
［第２５実施形態］
次に、第２５実施形態について説明する。図７（ｃ）に示すように、第２５実施形態において、基準電極７７としては、筒状のものではなく、中実構造の円柱状のものを採用している。また、信号電極７８としては、円筒状のものを採用している。
このような形態の基準電極７７及び信号電極７８であっても、通信性能の面では、第１実施形態と同様の効果が得られる。すなわち、基準電極については、内腔が形成された中空構造のもの、内腔が形成されていない中実構造のもの、どちらを採用しても良い。
【００７７】
［変形例等］
以上、本発明の実施形態について説明したが、本発明は上記の具体的な一実施形態に限定されず、この他にも種々の形態で実施することができる。
【００７８】
例えば、上記実施形態では、基準電極及び信号電極の組み合わせについて、特定のものをいくつか例示したが、この他にも、一つの実施形態で例示した基準電極と、他の実施形態で例示した信号電極を組み合わせても良く、その具体的な組み合わせ方は任意である。
【００７９】
また、上記実施形態では、通信装置１が送受信機能を有する旨の説明をしたが、送信専用機、受信専用機として構成されていても良い。
【符号の説明】
【００８０】
１・・・通信装置、３・・・外装部、５，２１，２３，２５，２７，３１，３３，３５，３７，４１，４３，４５，４７，５１，５３，５５，５７，６１，６５，６７，７１，７３，７５，７７・・・基準電極、７，２２，２４，２６，２８，３２，３４，３６，３８，４２，４４，４６，４８，５２，５４，５６，５８，６２，６６，６８，７２，７４，７６，７８・・・信号電極、９・・・制御部、１１・・・衣類、１３・・・ポケット、１５・・・身体、４８Ａ，５３Ａ・・・切欠き部、５２Ａ，５５Ａ・・・開口部。
【図２】
0005471302.tif 000002
【図３】
0005471302.tif 000003
【図４】
0005471302.tif 000004
【図５】
0005471302.tif 000005
【図６】
0005471302.tif 000006
【図７】
0005471302.tif 000007
【図１】
0005471302.tif 000008